(57)【要約】【課題】多数のカードを収納しても従来のようにカードの枚数分だけ厚みが増して嵩張ることが無いため全体として軽量であり、少ない部材を簡単な縫製作業によって縫い合わせるだけで製造することが出来るカードケースの製造方法及びこの製造方法によって製造されたカードケースを提供する。【解決手段】二枚の長方形のシート状体を重ね合わせ長辺側を閉じた形状であって長方形状のカードＣを一の短辺側から長辺方向に一枚又は重ね合わせた状態で複数枚挿入可能の単位カード収納部Ｓを、厚さ方向に（７＋４ｎ）列（ｎは１以上の整数）並設し、短辺側の開口部Ｋがすべて同じ側に形成され、奇数列には単位カード収納部Ｓが長辺同士を隣接した状態で二個並設され、偶数列には一個の単位カード収納部Ｓが奇数列で隣接している二個の単位カード収納部Ｓの中央部に隣接して設けられるカードケース２０の製造方法である。【選択図】図１４
2017127456.tif 000002
【特許請求の範囲】
【請求項１】
二枚の長方形のシート状体を重ね合わせ長辺側を閉じた形状であって長方形状のカードを一の短辺側から長辺方向に一枚又は重ね合わせた状態で複数枚挿入可能の単位カード収納部を、厚さ方向に（７＋４ｎ）列（ｎは１以上の整数）並設し、短辺側の開口部がすべて同じ側に形成され、奇数列には単位カード収納部が長辺同士を隣接した状態で二個並設され、偶数列には一個の単位カード収納部が奇数列で隣接している二個の単位カード収納部の中央部に隣接して設けられるカードケースの製造方法であって、
まず、その大きさが、長方形状のカード二枚の長辺を隣接させ、該隣接させた二枚のカードの短辺にさらに同一形状のカード二枚の短辺を隣接させた全体として長四角形状となる形状より大きく形成したシート状の外皮一枚と、該長四角形状と略同一形状で単位カード収納部の壁面を形成するシート状の中布を（（単位カード収納部の列数−１）／２）枚用意し、
（１）一枚目の中布を外皮の内側に重ね合わせて外皮の短辺方向の中央部と中布の短辺方向の中央部を一致させて該中央部で中布の長辺方向の全長に渡って縫い合わせ、
（２）次に、新たな中布を（１）の一枚目の中布に重ね合わせて、短辺方向の一の端部より短辺の４分の１の長さ部分を中布の長辺方向の全長に渡って縫い合わせ、
（３）次に、さらに新たな中布を（２）の新たな中布に重ね合わせて、短辺方向の中央部を中布の長辺方向の全長に渡って縫い合わせ、
（４）前記（２）と（３）は、新たな中布が無くなるまで２ｎ回行ない、
（５）次に、一枚目の中布と二枚目の中布の、短辺方向の他の端部より短辺の４分の１の長さ部分を中布の長辺方向の全長に渡って縫い合わせ、
（６）次に、次の中布とその次の中布の、短辺方向の他の端部より短辺の４分の１の長さ部分を中布の長辺方向の全長に渡って縫い合わせ、
（７）前記（６）は、次の中布とその次の中布の組み合わせが無くなるまでｎ回行い、
（８）次に、一枚目の中布の短辺方向の両端部をそれぞれ長辺方向の全長に渡って外皮と縫い合わせ、
（９）次に、次の中布とその次の中布の短辺方向の両端部をそれぞれ長辺方向の全長に渡って縫い合わせ、
（１０）前記（９）は、二枚の中布が残るまでｎ回行い、
（１１）次に、外皮と該外皮に縫い合わされた一枚目の中布及びこれと順次縫い合わされているすべての中布を、中布の長辺方向の中央部で外皮が外側に成るように折り畳み、
（１２）次に、折り畳まれることにより隣接状態で二つ折りに成っている中央の中布同士を短辺方向の両端部から短辺の４分の１の長さ部分でそれぞれ長辺方向に縫い合わせ、
（１３）次に、中央の中布とこれと隣接する中布の短辺方向の両端部を長辺方向の全長に渡って縫い合わせる、
ことを特徴とするカードケースの製造方法。
【請求項２】
二枚の長方形のシート状体を重ね合わせ長辺側を閉じた形状であって長方形状のカードを一の短辺側から長辺方向に一枚又は重ね合わせた状態で複数枚挿入可能の単位カード収納部を、厚さ方向に（７＋４ｎ）列（ｎは１以上の整数）並設し、短辺側の開口部がすべて同じ側に形成され、奇数列には単位カード収納部が長辺同士を隣接した状態で二個並設され、偶数列には一個の単位カード収納部が奇数列で隣接している二個の単位カード収納部の中央部に隣接して設けられるカードケースの製造方法であって、
まず、その大きさが、長方形状のカード二枚の長辺を隣接させ、該隣接させた二枚のカードの短辺にさらに同一形状のカード二枚の短辺を隣接させた全体として長四角形状となる形状より大きく形成したシート状の外皮二枚と、該長四角形状と略同一形状で単位カード収納部の壁面を形成するシート状の中布を（（単位カード収納部の列数−１）／２）枚用意し、
（１）次に、一枚目の中布に二枚目の中布を重ね合わせて、短辺方向の一の端部より短辺の４分の１の長さ部分を中布の長辺方向の全長に渡って縫い合わせ、
（２）次に、新たな中布を（１）の二枚目の中布に重ね合わせて、短辺方向の中央部を中布の長辺方向の全長に渡って縫い合わせ、
（３）前記（１）と（２）は、新たな中布が無くなるまで２ｎ回行い、
（４）次に、一枚目の中布を外皮の内側に重ねて外皮の短辺方向の中央部と中布の短辺方向の中央部を一致させて該中央部で中布の長辺方向の全長に渡って縫い合わせ、
（５）次に、一枚目の中布と二枚目の中布の、短辺方向の他の端部より短辺の４分の１の長さ部分を中布の長辺方向の全長に渡って縫い合わせ、
（６）次に、次の中布とその次の中布の、短辺方向の他の端部より短辺の４分の１の長さ部分を中布の長辺方向の全長に渡って縫い合わせ、
（７）前記（６）は、次の中布とその次の中布の組み合わせが無くなるまでｎ回行い、
（８）次に、一枚目の中布の短辺方向の両端部をそれぞれ長辺方向の全長に渡って外皮と縫い合わせ、
（９）次に、次の中布とその次の中布の短辺方向の両端部をそれぞれ長辺方向の全長に渡って縫い合わせ、
（１０）前記（９）は、二枚の中布が残るまでｎ回行い、
（１１）次に、外皮と該外皮に縫い合わされた一枚目の中布及びこれと順次縫い合わされているすべての中布を、長辺方向の中央部で折り畳み、
（１２）次に、折り畳まれることにより隣接状態で二つ折りに成っている中央の中布同士を短辺方向の両端部から短辺の４分の１の長さ部分でそれぞれ長辺方向に縫い合わせ、
（１３）次に、中央の中布とこれと隣接する中布の短辺方向の両端部を長辺方向の全長に渡って縫い合わせる、
ことを特徴とするカードケースの製造方法。
【請求項３】
中布は、前記長四角形状の長辺の長さの略２倍の長さの長辺と前記長四角形状の短辺と略同一の大きさであり、長辺方向の両端部を長辺方向の中央部に折り畳むことにより、前記長四角形状と略同一の大きさとした中布であることを特徴とする請求項１又は請求項２記載のカードケースの製造方法。
【請求項４】
請求項１乃至請求項３のいずれかに記載のカードケースの製造方法によって製造されたカードケース。
【発明の詳細な説明】
【技術分野】
【０００１】
本発明は、多数枚のクレジットカード、ポイントカード、キャッシュカード等を収納し、素早く取り出すことができるカードケースの製造方法に関する。
【背景技術】
【０００２】
従来、キャッシュカードやプリペイドカードなどの各種カード類を収納するカードケースが提案されている（特許文献１）。該カードケースは、カードを収容するカードホルダとカードホルダを取付ける基体とよりなるカードケースであって、前記基体はカードホルダの取付部とカードホルダを被覆するカバー体とを有し、前記カードホルダはカード収容可能な袋形状の収容部を蛇腹状に連結して形成されると共に、最端部に位置する収容部をカードホルダ取付部に固着してなるカードケースである。
【０００３】
また、カードを容易に収容したり取り出したりすることができると共に複数のカードを整理、管理して所持することができるジャバラカードケースが提案されている（特許文献２）。該ジャバラカードケースは、ケース本体折曲部を介して第１ケース本体部と第２ケース本体部が連続形成されたケース本体と、このケース本体に設けられると共にケース本体を開閉できるファスナーと、前記ケース本体に内設されるカード収容体ホルダーと、このカード収容体ホルダーの外側に形成されると共にシート折曲部を介してホルダー第１側シート部とホルダー第２側シート部が形成されたホルダーシート体と、このホルダーシート体の内側に設けられた袋状のマチ形成カード収容体と、前記ホルダーシート体の内側に前記マチ形成カード収容体と連結して設けられると共にジャバラ状に連結された複数の袋状のカード収容体と、を有してなることを特徴とする。
【０００４】
また、一室ずつ仕切られたカード収納室に多数のカードが一枚ずつ収納可能で、且つカードの出し入れや識別が容易に可能なカードケースが提案されている（特許文献３）。該カードケースは、留め具を備えた外包材を備えその内部に、襞部材の句局部が糸で縫着され且つ外包材の開閉でカード収納室の幅が変化し、出し入れ口及び底部が開口した六角形のカード収納室を一室備えたカード収納襞を、複数個備えたことを特徴とする。
【先行技術文献】
【特許文献】
【０００５】
【特許文献１】実用新案登録第３０９０７１３号公報
【特許文献２】実用新案登録大３１５９８５７号公報
【特許文献３】特開２００５−２９６５９１号公報
【０００６】
しかしながら、特許文献１乃至特許文献３に係るカードケースは、カードを横方向に一枚ずつ並列状態に収納する構成のため、多数枚のカードを収納するとカードの枚数分だけ確実に厚みが増して全体として嵩張り、持ち運びに不便であるという課題がある。
【０００７】
また、特許文献１乃至特許文献３に係るカードケースは一枚のカードを収納するカードホルダーやカード収容体を目的とする数だけ用意し、各々を連接する構成となっているため、カードケース自体も嵩張って重いものになる場合があるという課題がある。
【０００８】
さらには、カードケースを構成する部材の数が多く、簡単な縫製作業だけでは容易には製造することが難しい場合があるという課題がある。
【発明の概要】
【発明が解決しようとする課題】
【０００９】
本発明が解決しようとする課題は、多数のカードを収納しても従来のようにカードの枚数分だけ厚みが増して嵩張ることが無いため全体として軽量であり、少ない部材を簡単な縫製作業によって縫い合わせるだけで製造することが出来るカードケースの製造方法及びこの製造方法によって製造されたカードケースを提供することにある。
【課題を解決するための手段】
【００１０】
請求項１記載の発明は、二枚の長方形のシート状体を重ね合わせ長辺側を閉じた形状であって長方形状のカードを一の短辺側から長辺方向に一枚又は重ね合わせた状態で複数枚挿入可能の単位カード収納部を、厚さ方向に（７＋４ｎ）列（ｎは１以上の整数）並設し、短辺側の開口部がすべて同じ側に形成され、奇数列には単位カード収納部が長辺同士を隣接した状態で二個並設され、偶数列には一個の単位カード収納部が奇数列で隣接している二個の単位カード収納部の中央部に隣接して設けられるカードケースの製造方法であって、
まず、その大きさが、長方形状のカード二枚の長辺を隣接させ、該隣接させた二枚のカードの短辺にさらに同一形状のカード二枚の短辺を隣接させた全体として長四角形状となる形状より大きく形成したシート状の外皮一枚と、該長四角形状と略同一形状で単位カード収納部の壁面を形成するシート状の中布を（（単位カード収納部の列数−１）／２）枚用意し、
（１）一枚目の中布を外皮の内側に重ね合わせて外皮の短辺方向の中央部と中布の短辺方向の中央部を一致させて該中央部で中布の長辺方向の全長に渡って縫い合わせ、
（２）次に、新たな中布を（１）の一枚目の中布に重ね合わせて、短辺方向の一の端部より短辺の４分の１の長さ部分を中布の長辺方向の全長に渡って縫い合わせ、
（３）次に、さらに新たな中布を（２）の新たな中布に重ね合わせて、短辺方向の中央部を中布の長辺方向の全長に渡って縫い合わせ、
（４）前記（２）と（３）は、新たな中布が無くなるまで２ｎ回行ない、
（５）次に、一枚目の中布と二枚目の中布の、短辺方向の他の端部より短辺の４分の１の長さ部分を中布の長辺方向の全長に渡って縫い合わせ、
（６）次に、次の中布とその次の中布の、短辺方向の他の端部より短辺の４分の１の長さ部分を中布の長辺方向の全長に渡って縫い合わせ、
（７）前記（６）は、次の中布とその次の中布の組み合わせが無くなるまでｎ回行い、
（８）次に、一枚目の中布の短辺方向の両端部をそれぞれ長辺方向の全長に渡って外皮と縫い合わせ、
（９）次に、次の中布とその次の中布の短辺方向の両端部をそれぞれ長辺方向の全長に渡って縫い合わせ、
（１０）前記（９）は、二枚の中布が残るまでｎ回行い、
（１１）次に、外皮と該外皮に縫い合わされた一枚目の中布及びこれと順次縫い合わされているすべての中布を、中布の長辺方向の中央部で外皮が外側に成るように折り畳み、
（１２）次に、折り畳まれることにより隣接状態で二つ折りに成っている中央の中布同士を短辺方向の両端部から短辺の４分の１の長さ部分でそれぞれ長辺方向に縫い合わせ、
（１３）次に、中央の中布とこれと隣接する中布の短辺方向の両端部を長辺方向の全長に渡って縫い合わせる、
ことを特徴とするカードケースの製造方法を提供する。
【００１１】
また、請求項２記載の発明は、二枚の長方形のシート状体を重ね合わせ長辺側を閉じた形状であって長方形状のカードを一の短辺側から長辺方向に一枚又は重ね合わせた状態で複数枚挿入可能の単位カード収納部を、厚さ方向に（７＋４ｎ）列（ｎは１以上の整数）並設し、短辺側の開口部がすべて同じ側に形成され、奇数列には単位カード収納部が長辺同士を隣接した状態で二個並設され、偶数列には一個の単位カード収納部が奇数列で隣接している二個の単位カード収納部の中央部に隣接して設けられるカードケースの製造方法であって、
まず、その大きさが、長方形状のカード二枚の長辺を隣接させ、該隣接させた二枚のカードの短辺にさらに同一形状のカード二枚の短辺を隣接させた全体として長四角形状となる形状より大きく形成したシート状の外皮二枚と、該長四角形状と略同一形状で単位カード収納部の壁面を形成するシート状の中布を（（単位カード収納部の列数−１）／２）枚用意し、
（１）次に、一枚目の中布に二枚目の中布を重ね合わせて、短辺方向の一の端部より短辺の４分の１の長さ部分を中布の長辺方向の全長に渡って縫い合わせ、
（２）次に、新たな中布を（１）の二枚目の中布に重ね合わせて、短辺方向の中央部を中布の長辺方向の全長に渡って縫い合わせ、
（３）前記（１）と（２）は、新たな中布が無くなるまで２ｎ回行い、
（４）次に、一枚目の中布を外皮の内側に重ねて外皮の短辺方向の中央部と中布の短辺方向の中央部を一致させて該中央部で中布の長辺方向の全長に渡って縫い合わせ、
（５）次に、一枚目の中布と二枚目の中布の、短辺方向の他の端部より短辺の４分の１の長さ部分を中布の長辺方向の全長に渡って縫い合わせ、
（６）次に、次の中布とその次の中布の、短辺方向の他の端部より短辺の４分の１の長さ部分を中布の長辺方向の全長に渡って縫い合わせ、
（７）前記（６）は、次の中布とその次の中布の組み合わせが無くなるまでｎ回行い、
（８）次に、一枚目の中布の短辺方向の両端部をそれぞれ長辺方向の全長に渡って外皮と縫い合わせ、
（９）次に、次の中布とその次の中布の短辺方向の両端部をそれぞれ長辺方向の全長に渡って縫い合わせ、
（１０）前記（９）は、二枚の中布が残るまでｎ回行い、
（１１）次に、外皮と該外皮に縫い合わされた一枚目の中布及びこれと順次縫い合わされているすべての中布を、長辺方向の中央部で折り畳み、
（１２）次に、折り畳まれることにより隣接状態で二つ折りに成っている中央の中布同士を短辺方向の両端部から短辺の４分の１の長さ部分でそれぞれ長辺方向に縫い合わせ、
（１３）次に、中央の中布とこれと隣接する中布の短辺方向の両端部を長辺方向の全長に渡って縫い合わせる、
ことを特徴とするカードケースの製造方法を提供する。
【００１２】
また、請求項３記載の発明は、中布は、前記長四角形状の長辺の長さの略２倍の長さの長辺と前記長四角形状の短辺と略同一の大きさであり、長辺方向の両端部を長辺方向の中央部に折り畳むことにより、前記長四角形状と略同一の大きさとした中布であることを特徴とする請求項１又は請求項２記載のカードケースの製造方法を提供する。
【００１３】
また、請求項４記載の発明は、請求項１乃至請求項３のいずれかに記載のカードケースの製造方法によって製造されたカードケースを提供する。
【発明の効果】
【００１４】
本発明に係るカードケースの製造方法は、一枚の外皮と複数枚の中布というわずか２種類の部材を順次縫い合わせることのみで多数枚のカードを収納することができるカードケースを短時間で極めて容易に製造することが出来るという効果がある。
【００１５】
製造されたカードケースは、単位カード収納部に長方形状のカードを一の短辺側から長辺方向に一枚又は重ね合わせた状態で複数枚挿入して収納可能であり、単位カード収納部が厚さ方向に（７＋４ｎ）列（ｎは１以上の整数）並設され、短辺側の開口部がすべて同じ側に形成され、奇数列には単位カード収納部が長辺同士を隣接した状態で２個並設され、偶数列には１個の単位カード収納部が奇数列で隣接している２個の単位カード収納部の中央部に隣接して設けられたカードケースであり、（７＋４ｎ）列（ｎは１以上の整数）並設された単位カード収納部の一組の奇数列と偶数列の２列には合計で少なくとも３枚のカードを収納することができ、また単位カード収納部に複数枚のカードを重ね合わせて収納すれば、同じく３枚超のカードを収納することができ、クレジットカード、ポイントカード、キャッシュカード等のカードを従来より効率よく多数枚収納することが出来る効果がある。
【００１６】
また、一枚の外皮と複数枚の中布の縫製によって形成される単位カード収納部は、隣接する列同士で単位カード収納部の壁面を一部共有する状態と成っているため、本発明に係るカードケースの製造方法によって形成されるカードケースは、収納されるカードの枚数に比して従来より軽量であるという効果がある。
【００１７】
特に請求項３記載の発明は、カードを出し入れする単位カード収納部の開口部が山折り部分と成っているため、中布の裁断部分で生じる糸のほつれ等が発生することが無く、スムーズにカードの出し入れを行うことが出来る効果がある。
【図面の簡単な説明】
【００１８】
【図１】本発明に係る一枚の外皮と複数枚の中布を示す状態斜視図である。
【図２】本発明に係る一枚の外皮に一枚目の中布を縫い合わせた状態を示す状態斜視図である。
【図３】本発明に係る一枚目の中布に二枚目の中布を縫い合わせた状態を示す状態斜視図である。
【図４】本発明に係る二枚目の中布に三枚目の中布を縫い合わせた状態を示す状態斜視図である。
【図５】本発明に係る三枚目の中布に四枚目の中布を縫い合わせた状態を示す状態斜視図である。
【図６】本発明に係る四枚目の中布に五枚目の中布を縫い合わせた状態を示す状態斜視図である。
【図７】本発明に係る請求項１及び請求項２の（５）の工程を示した状態斜視図である。
【図８】本発明に係る請求項１及び請求項２の（６）の工程を示した状態斜視図である。
【図９】本発明に係る請求項１及び請求項２の（８）の工程を示した状態斜視図である。
【図１０】本発明に係る請求項１及び請求項２の（９）の工程を示した状態斜視図である。
【図１１】本発明に係る請求項１及び請求項２の（１１）の工程を示した状態斜視図である。
【図１２】本発明に係る請求項１及び請求項２の（１２）の工程を示した状態斜視図である。
【図１３】本発明に係る請求項１及び請求項２の（１３）の工程を示した状態斜視図である。
【図１４】本発明であるカードケースの製造方法によって製造されたカードケースであり、外皮の上部を折り畳むことによりカードを出し入れする単位カード収納部Ｓの開口部Ｋを覆った状態を示した状態斜視図である。
【図１５】本発明である請求項３に係る中布を示した状態斜視図である。
【発明を実施するための形態】
【００１９】
次に本発明に係るカードケース製造方法を実施するための形態に関し、図１乃至図１５に基づき詳細に説明する。
【００２０】
図１は、本発明に係るカードケースの製造方法に使用する一枚の外皮１と五枚の中布２、３、４、５、６を示す状態斜視図である。
【００２１】
中布２、３、４、５、６は、図１において一点鎖線で示す長方形状の二枚のカードＣの長辺を隣接させ、該隣接させた二枚のカードＣの短辺にさらに同一形状のカードＣの短辺を隣接させた全体として長四角形状と略同一形状となる長辺及び短辺を有し、シート状である。本実施例では、中布２、３、４、５、６の長辺方向及び短辺方向共にカードＣを四枚合わせた際の長辺又は短辺の長さよりやや長く形成しているが、図１３で示すようにカードＣを単位カード収納部Ｓに縦方向に奥まで挿入した際、カードＣの上端部が僅かに突出する程度がカードＣの確認と該カードを取り出す際に取り出し易くなって便利なこともあるため、中布２、３、４、５、６の長辺方向の長さは、二枚のカードＣを長辺方向に隣接した長さと略同一とは言っても、やや短目であっても良い。中布２、３、４、５、６の材質はカードの出し入れがスムーズに行えることと、寸法安定性の点で綿布またはシルク布が好ましい。
【００２２】
外皮１は該長四角形状の中布２、３、４、５、６よりも大きい長四角形状をしていて、すべての中布２、３、４、５、６を外皮１に縫い合わせて一体化させたときに、図１３及び図１４に示すように、蓋部１ａが五枚の中布で形成された全ての単位カード収納部Ｓの開口部Ｋを覆って、収納されたカードＣが脱落しないように形成することが好ましい。本実施例では外皮１は長四角形状をしているが、中布２、３、４、５、６より大きい形状であればどのような形状であっても良く、好ましくは、単位カード収納部Ｓの開口部Ｋを覆うことが出来る任意形状の蓋部１ａを有してことが望ましい。
【００２３】
外皮１の材質は中布２、３、４、５、６よりも厚手の布製や革製であることが好ましく、例えば同形状の表布と裏布を中表にして縫製し全体として外皮１とすることが出来る。
【００２４】
本発明のカードケースの製造方法の実施例では、まず上記一枚の外皮１と五枚の中布２、３、４、５、６を用意するが、用意すべき中布の枚数は、カードケースとして備える単位カード収納部Ｓの、厚さ方向に並設された列数によって変化する。単位カード収納部Ｓは（７+４ｎ）列（ｎは１以上の整数）、並設させることができ、この際の中布の枚数は、（（単位カード収納部の列数−１）／２）枚である。本実施例では、単位カード収納部Ｓは１１列並設されるため中布の枚数は五枚となる。ここでｎは１以上の整数として、中布の枚数はいくらでも増やすことが出来るように構成されているが、カードケース全体としてあまり分厚くなると取扱い性が劣ることになるため、ｎは１乃至５が好ましく、より好ましくはｎ＝１である。
【００２５】
また、本発明のカードケースの製造方法によって製造されるカードケースは、二枚の長方形のシート状体を重ね合わせ長辺側を閉じた形状であって長方形状のカードＣを一の短辺側から長辺方向に一枚又は重ね合わせた状態で複数枚挿入可能の単位カード収納部Ｓを、その厚さ方向に（７＋４ｎ）列（ｎは１以上の整数）並設し、短辺側の開口部Ｋがすべて同じ側に形成され、奇数列には単位カード収納部Ｓの長辺同士が隣接した状態で二個並設され、偶数列には一個の単位カード収納部Ｓが奇数列で隣接している二個の単位カード収納部Ｓの中央部に隣接して設けられているカードケースである。
【００２６】
本実施例の説明においては、製造手順通りに図２乃至図１４の順に記載する。まず、図２に示すように、一枚の外皮１の下方の内側に一枚目の中布２を重ね合わせて、外皮１の短辺方向の中央部と中布２の短辺方向の中央部を合わせて、該中央部で中布２の長辺方向の全長に渡って直線状に縫い合わせる。２ａはその縫い目である。本実施例ではまず一枚目の中布２を外皮１に縫い合わせたが、これは請求項１記載の発明である。請求項２記載の発明では、一枚目の中布２を外皮１に縫い合わせるのは、以下に説明する中布２、３、４、５、６を縫い合わせた後に行う。
【００２７】
次に、図３に示すように新たな中布３を一枚目の中布２に重ね合わせて、短辺方向の一の端部より短辺の略４分の１の長さ部分を中布３の長辺方向の全長に渡って縫い合わせる。３ａはその縫い目である。
【００２８】
次に、図４に示すようにさらに新たな中布４を先の新たな中布３に重ね合わせて、短辺方向の中央部を中布４の長辺方向の全長に渡って縫い合わせる。４ａはその縫い目である。
【００２９】
次に、図５に示すように新たな中布５を中布４に重ね合わせて、短辺方向の一の端部より短辺の略４分の１の長さ部分を中布５の長辺方向の全長に渡って縫い合わせる。５ａはその縫い目である。
【００３０】
次に、図６に示すようにさらに新たな中布６を中布５に重ね合わせて、短辺方向の中央部を中布６の長辺方向の全長に渡って縫い合わせる。６ａはその縫い目である。本実施例では中布は五枚であるが、さらに中布がある場合は、図５と図６の工程が繰り返され、結果として、請求項１における（２）と（３）の工程、又は請求項２における（１）と（２）の工程は２ｎ回行われる。
【００３１】
次に、図７に示すように、一枚目の中布２と二枚目の中布３の、短辺方向の他の端部より短辺の略４分の１の長さ部分を中布３の長辺方向の全長に渡って縫い合わせる。７ａはその縫い目であり、図７ではその一部しか示されていないが、図２乃至図６で示される縫い目２ａ、３ａ、４ａ、５ａ、６ａと同様に、中布３の長辺方向の全長に渡って縫い合わされている（以下で示す縫い目８ａ、９ａ、１０ａも同様である）。
【００３２】
次に、図８に示すように、三枚目の中布４と四枚目の中布５の、短辺方向の他の端部より短辺の略４分の１の長さ部分を中布５の長辺方向の全長に渡って縫い合わせる。８ａはその縫い目である。図８の工程は、次の中布とその次の中布の組み合わせが無くなるまでｎ回行われる。
【００３３】
次に、図９に示すように、一枚目の中布２の短辺方向の両端部をそれぞれ長辺方向の全長に渡って外皮１と縫い合わせる。９ａはその縫い目である。
【００３４】
次に、図１０に示すように、中布３と中布４の短辺方向の両端部をそれぞれ長辺方向の全長に渡って縫い合わせる。１０ａはその縫い目である。
【００３５】
図１０に示される工程は、中布の枚数が五枚以上であるときはｎ回行われ、図１０において手前側にある中布の二枚はここでは縫い合わされずに残される。
【００３６】
次に、図１１に示されるように、外皮１と該外皮１に縫い合わされた一枚目の中布２及びこれと順次縫い合わされているすべての中布３、４、５、６を、中布２、３、４、５、６の長辺方向の中央部で外皮１が外側に成るように折り畳む。
【００３７】
次に、図１２に示されるように、折り畳まれることにより中央で隣接状態で二つ折りに成っている中央の中布６と中布６同士を短辺方向の両端部から短辺の略４分の１の長さ部分でそれぞれ長辺方向に縫い合わせる。１１ａはその縫い目であり、その縫い目長さは中布６の長辺方向の長さの２分の１の長さと成る。
【００３８】
次に、図１３に示されるように、中央の中布６とこれと隣接する中布の５の短辺方向の両端部を長辺方向の全長に渡って縫い合わせる。１２ａはその縫い目である。この縫い合わせにより単位カード収納部Ｓがその厚さ方向に１１列並設され、奇数列には単位カード収納部Ｓの長辺同士が隣接した状態で二個並設され、偶数列には一個の単位カード収納部Ｓが奇数列で隣接している二個の単位カード収納部Ｓの中央部に隣接して設けられているカードケース２０が完成し、単位カード収納部Ｓの短辺側の開口部Ｋは図１３においては全て上部側の同じ側に形成される。
【００３９】
この単位カード収納部Ｓには開口部ＫからカードＣが一枚又は複数枚が重ね合された状態で長辺方向に挿入され収納することが出来る。図１３においては単位カード収納部Ｓは１７個形成されているため、一枚ずつ収納すれば１７枚が、二枚ずつ収納すれば３４枚を収納することが出来る。
【００４０】
外皮１の蓋部１ａの裏面側には、本実施例では一対の面ファスナー１５、１６の一つ１５が貼着されていて、もう一つの面ファスナー１６は折り返された外皮１の表面１ｂに貼着されている。
【００４１】
面ファスナー１５、１６を合わせれば、全ての単位カード収納部Ｓの開口部Ｋが覆われて、図１４の状態と成り、収納されたカードＣは脱落することがない。
【００４２】
図１５は、上記中布の他の実施の形態を示しており、中布３０の長辺は、中布２、３、４、５、６の長辺の長さの略２倍であり、中布３０の短辺の長さは中布２、３、４、５、６の短辺と略同一である。この中布３０の長辺方向の両端部３０ａを長辺方向の中央部３０ｂ側に折り畳むことにより、中布２、３、４、５、６と略同一の形状となる。この中布３１を上記実施例の中布２、３、４、５、６と置き換えたのが請求項３に係るカードケースの製造方法であり、該中布３１を使用することにより、カードの出し入れに伴う開口部Ｋでの糸のほつれ等が発生することが無くなり、スムーズにカードＣの出し入れを行うことが出来るように成る。
【符号の説明】
【００４３】
１  外皮
１ａ  蓋部
１ｂ  表面
２、３、４、５、６  中布
２ａ、３ａ、４ａ、５ａ、６ａ、７ａ、８ａ、９ａ、１０ａ、１１ａ、１２ａ  縫い目
２０  カードケース
３０  中布
３０ａ  端部
３０ｂ  中央部
３１  中布
Ｃ  カード
Ｓ  単位カード収納部
Ｋ  開口部
【図１】
2017127456.tif 000003
【図２】
2017127456.tif 000004
【図３】
2017127456.tif 000005
【図４】
2017127456.tif 000006
【図５】
2017127456.tif 000007
【図６】
2017127456.tif 000008
【図７】
2017127456.tif 000009
【図８】
2017127456.tif 000010
【図９】
2017127456.tif 000011
【図１０】
2017127456.tif 000012
【図１１】
2017127456.tif 000013
【図１２】
2017127456.tif 000014
【図１３】
2017127456.tif 000015
【図１４】
2017127456.tif 000016
【図１５】
2017127456.tif 000017